(57)【特許請求の範囲】
【請求項１】
水が流通可能な流通管の端部に設けられたノズルヘッダに対して洗浄ノズルが回転自在に取り付けられ、前記洗浄ノズルを回転自在に支持するノズルナットが前記ノズルヘッダに対して着脱自在に螺合されている洗浄機において、
前記ノズルナットは、
軸方向に前記水が流通可能な流通部と、
前記流通部の軸方向における一端側に形成される前記ノズルヘッダとの螺合部と、
前記軸方向において前記螺合部に隣接して形成され、前記洗浄ノズルを支持する支持部と、
前記軸方向において前記支持部に隣接して形成され、前記支持部から前記軸方向に交差する方向に張り出す鍔部と、を備え、
前記鍔部には、張り出し方向における端部である外縁部と前記流通部との間に、指を差し込み可能な把持部が形成されると共に、前記流通部の円周方向に沿って連続的に複数の前記把持部が配置された第１領域と、一の前記把持部が配置された第２領域と、を有し、
前記螺合部における前記ノズルヘッダと螺合させる際の螺合開始部は、前記軸方向から見た平面視において、前記第１領域又は前記第２領域と一致する位置に形成されている、洗浄機。
【請求項２】
前記鍔部における前記第１領域と前記第２領域との間が、前記円周方向に沿って切り欠かれており、
前記第１領域及び前記第２領域は、前記流通部を挟んだ状態で互いに対向するように配置されている、請求項１記載の洗浄機。
【請求項３】
前記把持部は、前記鍔部を前記軸方向に貫通する貫通孔、又は前記鍔部において前記軸方向に凹んだ凹部である、請求項１又は２記載の洗浄機。
【請求項４】
前記把持部の縁部には、前記鍔部から前記軸方向に突出するフランジ部が形成されている、請求項３記載の洗浄機。
【発明の詳細な説明】
【技術分野】
【０００１】
本発明は、ノズルヘッダに回転自在に支持された洗浄ノズルを備える洗浄機に関する。
【背景技術】
【０００２】
回転する洗浄ノズルから噴射される洗浄水によって食器を洗浄する食器洗浄機が知られている。例えば、特許文献１には、洗浄室の天井部及び床部のそれぞれに設けられるノズルヘッダに、洗浄ノズルが回転自在に支持されている食器洗浄機が開示されている。この洗浄ノズルは、ノズルヘッダに形成された雌ねじ部に螺合するノズルナットによって挟み込まれることによって着脱可能に固定されている。そして、メンテナンス時に洗浄ノズルを取り外したり、取り付けたりする場合には、ノズルナットの外縁部を把持して、ノズルヘッダの軸線方向と一致するように回転させて螺合（以後、「適正に螺合」と称す。）させる必要がある。
【先行技術文献】
【特許文献】
【０００３】
【特許文献１】特開２０１３−２５５６４５号公報
【発明の概要】
【発明が解決しようとする課題】
【０００４】
洗浄ノズルは、洗浄室の天井部及び床部など、ドア部からは視認し難い位置にある。把持した感覚だけで、ノズルヘッダにノズルナットを螺合させる場合には、螺合部に比較的近い位置を把持する方が、適正に螺合させ易い。しかしながら、上記従来のノズルナットは、径方向に張り出す鍔部に水抜き用の小さな孔はあるものの、この孔を把持することはできない。このため、上記従来のノズルナットは、螺合部から比較的遠いノズルナットの外縁部を把持して螺合させている。したがって、軸方向がずれた状態でノズルナットを回転させるなど、ノズルナットを適正に螺合させることができず、ねじ溝などの螺合部を潰してしまうことがあった。また、上記従来のノズルナットは、比較的手が小さな人には、洗浄ノズルを取り外したり、取り付けたりする作業が困難であった。
【０００５】
そこで、本発明の目的は、洗浄ノズルの脱着作業を容易にすることができる洗浄機を提供することにある。
【課題を解決するための手段】
【０００６】
本発明の洗浄機は、水が流通可能な流通管の端部に設けられたノズルヘッダに対して洗浄ノズルが回転自在に取り付けられ、洗浄ノズルを回転自在に支持するノズルナットがノズルヘッダに対して着脱自在に螺合されている洗浄機において、ノズルナットは、軸方向に水が流通可能な流通部と、流通部の軸方向における一端側に形成されるノズルヘッダとの螺合部と、軸方向において螺合部に隣接して形成され、洗浄ノズルを支持する支持部と、軸方向において支持部に隣接して形成され、支持部から軸方向に交差する方向に張り出す鍔部と、を備え、鍔部には、張り出し方向における端部である外縁部と流通部との間に、指を差し込み可能な把持部が形成されている。
【０００７】
この構成の洗浄機では、鍔部には、張り出し方向における端部である外縁部と流通部との間に、指を差し込み可能な把持部が形成されているので、外縁部を把持することと比べてより螺合部に近い部分を把持することができる。したがって、ノズルヘッダに対して螺合部を適正に螺合させることが可能になる。また、外縁部を把持するには小さな手の者でも、外縁部の内側に形成された把持部なら容易に把持することが可能になる。したがって、手の大きさに合わせて、ノズルナットを把持する位置が選択可能になるので、作業性が向上する。この結果、洗浄ノズルの脱着作業を容易になる。
【０００８】
本発明の洗浄機では、把持部は、鍔部を軸方向に貫通する貫通孔、又は、鍔部において軸方向に凹んだ凹部であってもよい。
【０００９】
この構成の洗浄機では、把持部に指を係止し易くなるので、作業性が向上する。
【００１０】
本発明の洗浄機では、把持部の縁部には、鍔部から軸方向に突出するフランジ部が形成されていてもよい。
【００１１】
この構成の洗浄機では、鍔部の軸方向への厚みが比較的薄い場合であっても、把持部に指を十分にかけることができるようになるので、作業性が向上する。
【００１２】
本発明の洗浄機では、把持部は、外縁部に形成された、軸方向に交差する方向へ凹凸する凹凸部であってもよい。
【００１３】
この構成の洗浄機では、把持部の凹凸部に指を係止できるので、作業性が向上する。
【００１４】
本発明の洗浄機では、鍔部は、把持部が形成されない部分が切り欠かれていてもよい。
【００１５】
この構成の洗浄機では、鍔部の一部を切り欠くことによって材料費を抑制することができる共に、ノズルナットを軽量化することができる。
【００１６】
本発明の洗浄機では、鍔部は、流通部の円周方向に沿って連続的に複数の把持部が配置された第１領域と、一の把持部が配置された第２領域と、を有し、螺合部におけるノズルヘッダと螺合させる際の螺合開始部は、軸方向から見た平面視において、第１領域又は第２領域と一致する位置に形成されていてもよい。
【００１７】
この構成の洗浄機では、親指で把持する把持部と、その他の指用で把持する把持部とが区別できるようになる。そして、螺合部において、取り付け作業時に明確に認識できる位置（すなわち、親指を把持する位置又はその他の指用で把持する位置）にノズルヘッダと螺合させる際の螺合開始部が形成されている。そこで、その位置をノズルヘッダにおける螺合開始部に一致させた上で回転を始めることにより、すぐに螺合を開始させることができる。これにより、螺合が開始されないままノズルナットを回し続けることが抑制できるので、洗浄ノズルの取付性が向上する。
【００１８】
本発明の洗浄機では、流通部を中心に互いに対称となる位置に配置されている２個の把持部が形成されていてもよい。
【００１９】
この構成の洗浄機では、ノズルヘッダに取り付ける際の方向性を定めることができる。
【発明の効果】
【００２０】
本発明によれば、洗浄ノズルの脱着作業を容易にすることができる。
【図面の簡単な説明】
【００２１】
【図１】一実施形態に係る食器洗浄機の斜視図である。
【図２】図１に示される上側配管ユニット及び上側ノズルユニットの斜視図である。
【図３】図２に示される上側ノズルユニットの分解斜視図である。
【図４】図２に示されるノズルナットの上面図及び下面図である。
【図５】図２に示されるノズルナットを軸方向に切断した断面図である。
【図６】図１に示される下側配管ユニット及び下側ノズルユニットの斜視図である。
【図７】図２に示されるノズルナットの把持方法を示す図面である。
【図８】変形例１に係るノズルナットの上面図及び下面図である。
【図９】図８に示されるノズルナットの把持方法を示す図面である。
【図１０】変形例２に係るノズルナットの上面図である。
【図１１】変形例３に係るノズルナットの下面図及び断面図である。
【図１２】図１１に示されるノズルナットの把持方法を示す図面である。
【図１３】変形例４に係るノズルナットの上面図及び下面図である。
【図１４】図１３に示されるノズルナット断面図である。
【図１５】図１３に示されるノズルナットの把持方法を示す図面である。
【図１６】変形例５に係るノズルナットの上面図である。
【発明を実施するための形態】
【００２２】
以下、図面を参照して一実施形態に係る食器洗浄機（洗浄機）について説明する。図面の説明において、同一要素には同一符号を付し、重複する説明を省略する。図面の寸法比率は、説明のものと必ずしも一致していない。なお、説明の便宜のため、図１において、前後方向、左右方向、及び上下方向をそれぞれ設定した。
【００２３】
図１に示されるように、一実施形態に係る食器洗浄機１は、洗浄室３の前面にドア部５が設けられたアンダーカウンタ式の洗浄機である。食器洗浄機１は、ステンレス製のパネルで覆われた本体部２を有している。本体部２は、食器（被洗浄物）をセットしたラックを出し入れする開口部３Ｂが前方に向かって開口している洗浄室３と、図示しない洗浄水ポンプ及びブースターなどが設けられている機械室７と、に区画されている。本体部２の底面の四隅には、脚部９が取り付けられている。
【００２４】
洗浄室３内には、ラックレール３Ｃが配置されており、このラックレール３Ｃ上に、飲食後の皿や茶碗などの食器が並べられた格子状の食器ラックが載置される。図２に示されるように、洗浄室３の上部には、上側配管ユニット６Ａが固定されており、上側配管ユニット６Ａには上側ノズルユニット１１Ａが取り付けられている。同様に、図６に示されるように、洗浄室３の下部には、下側配管ユニット６Ｂが固定されており、下側配管ユニット６Ｂには下側ノズルユニット１１Ｂが取り付けられている。食器ラックに並べられた食器は、上側及び下側洗浄ノズル１２Ａ，１２Ｂによって上下から洗浄水が噴射され、すすぎノズル１３Ａ，１３Ｂによって上下からすすぎ水が噴射される。
【００２５】
図１に戻り、洗浄室３の底部３Ａには、機械室７内に突出するように洗浄水タンク１５が設けられている。洗浄水タンク１５には、洗浄水吸込口を介して洗浄水ポンプが接続されている。洗浄水ポンプの吐出口は、洗浄水吐出管を介して上側洗浄ノズル１２Ａ及び下側洗浄ノズル１２Ｂにそれぞれ接続されている。
【００２６】
機械室７内には、上側すすぎノズル１３Ａ及び下側すすぎノズル１３Ｂにすすぎ水を供給するブースター（図示せず）が配置されている。ブースターの吐出口は、すすぎ水吐出管を介して上側すすぎノズル１３Ａ及び下側すすぎノズル１３Ｂにそれぞれ接続されている。また、機械室７内には、食器洗浄機１の動作全般を制御するマイクロコンピュータ（図示せず）が内蔵された電装ボックス（図示せず）などが収容されている。
【００２７】
図２及び図３を参照して、上側配管ユニット６Ａ及び上側ノズルユニット１１Ａについて説明する。上側配管ユニット６Ａは、洗浄水及びすすぎ水を供給する上側供給管２１と、上側供給管２１に接続された上側ノズルヘッダ２２とを有する。上側ノズルユニット１１Ａは、上側ノズルヘッダ２２に回転自在に取り付けられた上側洗浄ノズル１２Ａと、上側洗浄ノズル１２Ａを挟み込むように上側ノズルヘッダ２２に取り付けられた上側ノズルナット４０と、上側ノズルナット４０に回転自在に取り付けられた上側すすぎノズル１３Ａと、を有する。
【００２８】
上側供給管２１は、二重管であり、洗浄室３（図１参照）の天井部に沿って敷設されている。上側ノズルヘッダ２２は、台座部２３を有し、台座部２３は、上側供給管２１の内管２１ａに接続された内筒部２３ｂと、外管２１ｂに接続された外筒部２３ｃと、を有する。外筒部２３ｃの下部には、上側洗浄ノズル１２Ａを回転自在に支持するための環状の軸部２３ｄが設けられている。内筒部２３ｂは、軸部２３ｄに沿って延在しており、下部には、雌ねじ部２３ｆが形成されている。
【００２９】
上側洗浄ノズル１２Ａは、上側ノズルヘッダ２２で回転自在に支持されるホルダ部３１と、ホルダ部３１から放射状に延在する複数（３本）のアーム部３３と、を有する。ホルダ部３１の上部には円形の上部中央口３１ａが形成され、下部には円形の下部中央口３１ｂが形成されている。下部中央口３１ｂには、上側ノズルナット４０が装着される。
【００３０】
図４（Ａ）及び図４（Ｂ）及び図５に示されるように、上側ノズルナット４０は、流通部４１と、雄ねじ形成部（螺合部）４７と、支持部４５と、鍔部４３と、を備えている。上側ノズルナット４０は、雄ねじ形成部４７が上側ノズルヘッダ２２の内筒部２３ｂの雌ねじ部２３ｆに螺合されることにより、鍔部４３と上側ノズルヘッダ２２の台座部２３との間で上側洗浄ノズル１２Ａを回転自在に挟み込む。以下、上側ノズルナット４０について詳細に説明する。
【００３１】
流通部４１は、上側ノズルヘッダ２２に螺合される上端（一端）４１ａから上側すすぎノズル１３Ａが接続される下端（他端）４１ｂまですすぎ水を流通させる。流通部４１は、上側ノズルナット４０における孔部である。流通部４１は、上側供給管２１の内管２１ａから供給されるすすぎ水を流通させて、上側すすぎノズル１３Ａに水を供給する。
【００３２】
雄ねじ形成部４７は、流通部４１の軸方向における一端４１ａ側に形成され、上側ノズルヘッダ２２における内筒部２３ｂの雌ねじ部２３ｆに螺合される。
【００３３】
支持部４５は、雄ねじ形成部４７の軸方向における他端４１ｂ側に隣接して形成されており、上側洗浄ノズル１２Ａを下面から支持する。支持部４５は、上側ノズルヘッダ２２の内部空間に臨む周面を有し、その周面には、凹状に湾曲した支持部面４５ａが形成されている。支持部面４５ａは、上側供給管２１の外管２１ｂ及び上側ノズルヘッダ２２を通って供給された水を上側洗浄ノズル１２Ａのアーム部３３に向けて横方向に誘導する。支持部面４５ａによって上側洗浄ノズル１２Ａのアーム部３３内に導かれた洗浄水は、アーム部３３の噴射口３３ａから噴射される。洗浄水の噴射によって推進力を得た上側洗浄ノズル１２Ａは回転する。
【００３４】
鍔部４３は、アーム部３３の軸方向における他端４１ｂ側に隣接して形成されると共に、支持部４５から軸方向に直交（交差）する方向（径方向）に張り出している。鍔部４３には、張り出し方向における端部である外縁部４９と流通部４１との間に、指Ｔ（図７（Ａ）及び（Ｂ）参照）を差し込み可能な把持部５１，５５が形成されている。把持部５１，５５は、鍔部４３を軸方向に貫通する貫通孔である。貫通孔は、指Ｔを挿入可能なサイズに形成されており、例えば、図４（Ａ）に示されるように、周方向Ｌ１が２０ｍｍ〜２５ｍｍであり、径方向Ｌ２が１５ｍｍ〜１８ｍｍである。貫通孔のサイズは、把持部５１と把持部５５とで同じであっても異なっていてもよい。また、把持部５１，５５ごとにサイズが異なっていてもよい。
【００３５】
鍔部４３の外縁部４９は、軸方向から見た平面視において、波状に形成されている。鍔部４３は、把持部５１，５５が形成されない部分が切り欠かれている。具体的には、図４（Ａ）及び図４（Ｂ）において二点鎖線で示される部分が、切り欠かれている部分に該当する。
【００３６】
図２に示されるように、鍔部４３は、流通部４１の円周方向（図５（Ａ）及び図５（Ｂ）に示される矢印）に沿って連続的に複数の把持部５５が配置された第１領域Ａ１と、一の把持部５１が配置された第２領域Ａ２と、を有している。雄ねじ形成部４７において、上側ノズルヘッダ２２の雌ねじ部２３ｆに螺合させる際の螺合開始部４７ａは、軸方向から見た平面視において、第２領域Ａ２と一致する位置に形成されている。
【００３７】
上側すすぎノズル１３Ａは、上側ノズルナット４０の流通部４１に挿入される本体部７１と、本体部７１から軸方向と直交する方向に延在する２本のアーム部７２と、本体部７１を上側ノズルナット４０の下面（鍔部４３の下面）４３ｂとの間で挟み付けて回転自在に支持するねじ付キャップ７３と、有している。すすぎ水は、上側供給管２１の内管２１ａ、上側ノズルナット４０の流通部４１を通って上側すすぎノズル１３Ａに供給される。すすぎ水は、上側すすぎノズル１３Ａの噴射口７２ａから噴射される。
【００３８】
次に、図６を参照して、下側配管ユニット６Ｂ及び下側ノズルユニット１１Ｂについて説明する。下側配管ユニット６Ｂは、洗浄水及びすすぎ水を供給する下側供給管２５と、下側供給管２５に接続された下側ノズルヘッダ２６とを有する。下側ノズルユニット１１Ｂは、下側ノズルヘッダ２６に回転自在に取り付けられた下側洗浄ノズル１２Ｂと、下側洗浄ノズル１２Ｂを挟み込むように下側ノズルヘッダ２６に取り付けられた下側ノズルナット８０と、下側ノズルナット８０に回転自在に取り付けられた下側すすぎノズル１３Ｂと、を有している。
【００３９】
下側供給管２５は、二重管であり、洗浄室３（図１参照）の底部に沿って敷設されている。下側ノズルヘッダ２６は、環状の台座部２６ａと、下側洗浄ノズル１２Ｂを回転自在にする環状の軸部２６ｂと、を有している。下側供給管２５の内管２５ａは、下側ノズルヘッダ２６の中央の孔を通り、軸部２６ｂより上方に突き出している。内管２５ａの上端には、雄ねじが形成された支軸部２７が設けられている。
【００４０】
下側洗浄ノズル１２Ｂは、下側ノズルヘッダ２６で回転自在に支持されるホルダ部３６と、ホルダ部３６から放射状に延在する複数（３本）のアーム部３７と、を有する。ホルダ部３１の下部には円形の下部中央口３６ａが形成され、上部には円形の上部中央口３６ｂが形成されている。下部中央口３６ａは、下側ノズルヘッダ２６の軸部２６ｂに摺動可能に嵌め込まれる。
【００４１】
下側ノズルナット８０は、下側洗浄ノズル１２Ｂの上部中央口３６ｂを塞ぐようにして上部中央口３６ｂに挿入されるナット部８１と、ナット部８１の上部から外側に張り出した環状の鍔部８２とを有する。下側ノズルナット８０のナット部８１が、支軸部２７に螺合することにより、下側ノズルナット８０と台座部２６ａとの間で下側洗浄ノズル１２Ｂが回転自在に挟み込まれる。
【００４２】
ナット部８１の下端は、下側ノズルヘッダ２６の内部空間を臨むように露出しており、その下端の表面上には、凹状に湾曲した環状のガイド面（図示せず）が形成されている。ガイド面は、下側供給管２５の外管２５ｂ及び下側ノズルヘッダ２６を通って供給された洗浄水をアーム部３７に向けて横方向に誘導する。ガイド面によってアーム部３７内に導かれた洗浄水は、アーム部３７の噴射口３７ａから噴射される。洗浄水の噴射によって推進力を得た下側洗浄ノズル１２Ｂは回転する。
【００４３】
なお、下側ノズルナット８０の鍔部８２の形状は、上側ノズルナット４０の鍔部４３と同様の形状である。また、鍔部８２に形成される把持部８７，８８の鍔部８２における位置、機能、及び形状も、上側ノズルナット４０と同様であるので、ここでは詳細な説明は省略する。
【００４４】
下側すすぎノズル１３Ｂは、下側ノズルナット８０の流通部８５に挿入される本体部７６と、本体部７６から軸方向と直交する方向に延在する２本のアーム部７７と、本体部７６を下側ノズルナット８０の上面との間で挟み付けて回転自在に支持するねじ付キャップ７８と、有している。すすぎ水は、下側供給管２５の内管２５ａ、下側ノズルナット８０の流通部４１を通って下側すすぎノズル１３Ｂに供給される。すすぎ水は、下側すすぎノズル１３Ｂの噴射口７７ａから噴射される。
【００４５】
次に、上側配管ユニット６Ａから上側ノズルユニット１１Ａを取り外して分解し、内部に詰まったゴミなどを清掃する際の作業手順について、図３、図７（Ａ）及び図７（Ｂ）を用いて説明する。
【００４６】
上側ノズルユニット１１Ａの上側洗浄ノズル１２Ａを上側ノズルヘッダ２２から取り外す際には、図７（Ａ）に示されるように、例えば、上側ノズルナット４０の把持部５１に第１指を入れ、把持部５５にその他の指（例えば、第２指、第３指、第４指など）を入れた状態で鍔部４３を回転させて緩める。鍔部４３を回転させて緩めると、上側ノズルナット４０は、内筒部２３ｂから外れる。更に、図３に示されるように、上側ノズルナット４０を内筒部２３ｂから取り外すと、上側洗浄ノズル１２Ａも上側ノズルヘッダ２２から抜ける。従って、上側ノズルユニット１１Ａは、上側配管ユニット６Ａから簡単に取り外すことができ、さらに、簡単に分解できる。
【００４７】
上記実施形態の上側ノズルナット４０は、更に以下のような取り外し方も可能である。すなわち、図７（Ｂ）に示されるように、上側ノズルユニット１１Ａの上側洗浄ノズル１２Ａを上側ノズルヘッダ２２から取り外す際には、上側ノズルナット４０の鍔部４３を手で握り、鍔部４３を回転させて緩める。鍔部４３には、波状の外縁部４９が形成されているため、手で握り易く、滑り難い構造になっている。外縁部４９を回転させて緩めると、上側ノズルナット４０は、内筒部２３ｂから外れる。更に、図３に示されるように、上側ノズルナット４０を内筒部２３ｂから取り外すと、上側洗浄ノズル１２Ａも上側ノズルヘッダ２２から抜ける。従って、上側ノズルユニット１１Ａは、上側配管ユニット６Ａから簡単に取り外すことができ、さらに、簡単に分解できる。
【００４８】
上側洗浄ノズル１２Ａを上側ノズルナット４０及び上側ノズルヘッダ２２から取り外すと、上部中央口３１ａ及び下部中央口３１ｂが露出し、上部中央口３１ａ及び下部中央口３１ｂを介して上側洗浄ノズル１２Ａの内部を簡単に清掃できる。また、上側ノズルナット４０には、支持部面４５ａが設けられているため、上側ノズルナット４０を取り外すことで支持部面４５ａも簡単に清掃できる。なお、上側すすぎノズル１３Ａもねじ付キャップ７３（図２参照）を取り外すことで簡単に分解でき、上側すすぎノズル１３Ａを簡単に清掃できる。
【００４９】
次に、上側配管ユニット６Ａに上側ノズルユニット１１Ａを取り付ける作業について説明する。例えば、図７（Ａ）に示されるように、例えば、鍔部４３の把持部５１に第１指を入れ、把持部５５にその他の指（例えば、第２指、第３指、第４指など）を入れた状態で上側ノズルナット４０を持つ。次に、支持部４５に上側洗浄ノズル１２Ａを載置した状態で、上側ノズルヘッダ２２の内筒部２３ｂに上側ノズルナット４０の雄ねじ形成部４７を螺合させる。このとき、第１指を入れる把持部５１がドア部５の前側になるように持つことで、上側ノズルナット４０の上側ノズルヘッダ２２への螺合開始が早くなる。上記実施形態では、上側ノズルヘッダ２２の内筒部２３ｂに形成される雌ねじ部の螺合開始部４７ａが内筒部２３ｂの前に形成されているからである。鍔部４３を回転させることで、上側ノズルナット４０は、雄ねじ形成部４７が上側ノズルヘッダ２２の内筒部２３ｂの雌ねじ部２３ｆに螺合され、鍔部４３と上側ノズルヘッダ２２の台座部２３との間で上側洗浄ノズル１２Ａを回転自在に挟み込む。
【００５０】
次に、上側すすぎノズル１３Ａ（図２参照）の本体部７１を、ねじ付キャップ７３（図２参照）によって上側ノズルナット４０の下面（鍔部４３の下面）４３ｂとの間で挟み付けて回転自在に支持する。これにより、上側配管ユニット６Ａに上側ノズルユニット１１を取り付ける作業が完了する。
【００５１】
次に、上記実施形態の食器洗浄機１の作用効果について説明する。上記実施形態の食器洗浄機１では、鍔部４３には、張り出し方向における端部である外縁部４９と流通部４１との間に、指Ｔを差し込み可能な把持部５１，５５が形成されているので、外縁部４９を把持することと比べて雄ねじ形成部４７に近い部分を把持することができる。したがって、上側ノズルヘッダ２２に対して雄ねじ形成部４７を適正に螺合させることが可能になる。また、外縁部４９を把持するには小さな手の者でも、鍔部４３の外縁部４９よりも内側に形成された把持部５１，５５なら容易に把持することが可能になる。したがって、手の大きさに合わせて、上側ノズルナット４０を把持する位置が選択可能になるので、作業性が向上する。この結果、上側洗浄ノズル１２Ａの脱着作業を容易になる。
【００５２】
上記実施形態の把持部５１，５５は、鍔部４３を軸方向に貫通する貫通孔であるので、把持部５１，５５に指Ｔを係止し易い。
【００５３】
上記実施形態の鍔部４３は、把持部５１，５５が形成されない部分が切り欠かれているので、材料費を抑制することができる共に、上側ノズルナット４０を軽量化することができる。
【００５４】
上記実施形態の鍔部４３は、流通部４１の円周方向に沿って連続的に複数の把持部５５が配置された第１領域Ａ１と、一の把持部５１が配置された第２領域Ａ２と、を有し、雄ねじ形成部４７における上側ノズルヘッダ２２と螺合させる際の螺合開始部４７ａは、軸方向から見た平面視において、第２領域Ａ２と一致する位置に形成されている。このため、第１指で把持する把持部５１と、その他の指で把持する把持部５５とが区別できるようになる。そして、取り付け作業時に明確に認識できる位置（雄ねじ形成部４７において、第１指で把持する位置又はその他の指で把持する位置）に上側ノズルヘッダ２２と螺合させる際の螺合開始部４７ａが形成されているので、すぐに螺合を開始させることができる。これにより、螺合が開始されないまま上側ノズルナット４０を回し続けることが抑制できるので、上側洗浄ノズル１２Ａの取付性が向上する。
【００５５】
以上、上側ノズルナット４０を上側ノズルヘッダ２２から取り外す際、又は上側ノズルヘッダ２２に取り付ける際の作用効果について説明したが、下側ノズルナット８０を下側ノズルヘッダ２６から取り外す際、又は下側ノズルヘッダ２６に取り付ける際も、上側ノズルナット４０と同様の作用効果を得ることができる。
【００５６】
以上、一実施形態について説明したが、本発明は、上記実施形態に限られるものではなく、発明の趣旨を逸脱しない範囲で種々の変形が可能である。
【００５７】
＜変形例１＞
上記実施形態の上側ノズルナット４０の形状は、様々に変更が可能である。まず、変形例１に係る上側ノズルナット１４０について、図８（Ａ）、図８（Ｂ）、図９（Ａ）及び図９（Ｂ）を用いて詳細に説明する。
【００５８】
図８（Ａ）及び図８（Ｂ）に示されるように、流通部１４１は、上側ノズルヘッダ２２に螺合される上端（一端）１４１ａから上側すすぎノズル１３Ａが接続される下端（他端）１４１ｂまですすぎ水を流通させる。流通部１４１は、上側ノズルナット１４０における孔部である。流通部１４１は、上側供給管２１の内管２１ａから供給されるすすぎ水を流通させて、上側すすぎノズル１３Ａに水を供給する。
【００５９】
雄ねじ形成部１４７は、流通部４１の軸方向における他端１４１ｂ側に形成され、上側ノズルヘッダ２２における内筒部２３ｂの雌ねじ部２３ｆに螺合される。
【００６０】
支持部１４５は、雄ねじ形成部１４７の軸方向における他端１４１ｂ側に隣接して形成されており、上側洗浄ノズル１２Ａを下面から支持する。支持部１４５は、上側ノズルヘッダ２２の内部空間に臨む周面を有し、その周面には、凹状に湾曲した支持部面１４５ａが形成されている。
【００６１】
鍔部１４３は、アーム部３３の軸方向における一端１４１ａ側に隣接して形成されると共に、支持部１４５から軸方向に直交（交差）する方向（径方向）に張り出している。上記実施形態の鍔部４３と異なるのは、鍔部１４３の把持部１５５は、外縁部１４９の径方向（鍔部１４３の張り出し方向）への凹凸によって、外縁部１４９と流通部１４１との間に、指Ｔ（図９（Ａ）及び図９（Ｂ）参照）を係止可能な把持部１５５が形成されている点である。また、鍔部１４３には、張り出し方向における端部である外縁部１４９と流通部１４１との間に、指Ｔ（図９（Ａ）及び図９（Ｂ）参照）を差し込み可能な把持部１５１が形成されている。把持部１５１は、鍔部１４３を軸方向に貫通する貫通孔である。貫通孔のサイズは、上記実施形態と同様である。
【００６２】
鍔部１４３の外縁部１４９は、軸方向から見た平面視において、波状に形成されている。鍔部１４３は、把持部１５１，１５５が形成されない部分が切り欠かれている。また、鍔部１４３は、流通部１４１の円周方向に沿って連続的に複数の把持部１５５が配置された第１領域Ａ１と、一の把持部１５１が配置された第２領域Ａ２と、を有している。雄ねじ形成部１４７において、上側ノズルヘッダ２２の雌ねじ部２３ｆに螺合させる際の螺合開始部１４７ａは、軸方向から見た平面視において、第２領域Ａ２と一致する位置に形成されている。
【００６３】
上記鍔部１４３には、張り出し方向における端部である外縁部１４９と流通部１４１との間に、指Ｔを差し込み可能な把持部１５１及び指Ｔを係止可能な把持部１５５が形成されているので、図９（Ａ）に示されるように、外縁部１４９を把持することと比べて雄ねじ形成部１４７に近い部分を把持することができる。したがって、上側ノズルヘッダ２２に対して雄ねじ形成部１４７を適正に螺合させることが可能になる。また、外縁部１４９を把持するには小さな手の者でも、把持部１５１，１５５なら容易に把持することが可能になる。
【００６４】
また、上側ノズルナット１４０では、図９（Ｂ）に示されるように、鍔部１４３の外縁部１４９を把持することも可能である。このため、手の大きさに合わせて、上側ノズルナット１４０を把持する位置が選択可能になるので、作業性が向上する。この結果、上側洗浄ノズル１２Ａの脱着作業を容易になる。
【００６５】
鍔部１４３に形成された把持部１５５において、指を係止する部分１５５ａが力を加える方向（回転方向）に凹状かつ円弧状に形成されているので、上側ノズルナット１４０を回転させ易い。
【００６６】
上側ノズルナット１４０は、鍔部１４３において把持部１５１，１５５が形成される部分を除いて切り欠かれているので、材料費を抑制することができる共に、上側ノズルナット４０を軽量化することができる。
【００６７】
また、上側ノズルナット１４０では、親指で把持部１５１を把持し、その他の指で把持部１５５を把持するようになるので、上側ノズルナット１４０を把持する際の方向性が定まり、取付性が向上する。また、上側ノズルナット１４０を把持する際に、左手又は右手で把持することを問わないので、利便性に優れる。
【００６８】
＜変形例２＞
次に、変形例２に係る上側ノズルナット２４０について、図１０を用いて詳細に説明する。なお、流通部２４１、雄ねじ形成部２４７及び支持部２４５については、上記変形例１の流通部１４１、雄ねじ形成部１４７及び支持部１４５と同様であるので、ここでは説明を省略する。
【００６９】
図１０に示されるように、鍔部２４３は、支持部２４５の軸方向における一端２４１ａ側とは反対側の他端側に隣接して形成されると共に、支持部２４５から軸方向に直交（交差）する方向（径方向）に張り出している。上記変形例の鍔部１４３と異なるのは、鍔部２４３の外縁部２４９及び把持部２５１，２５５の外周面２５１ａ，２５５ａが全体的に凸となるように円弧状に形成されている点である。
【００７０】
このような鍔部２４３では、変形例１に係る上側ノズルナット１４０が奏する作用効果に加え以下の効果を奏する。すなわち、鍔部２４３に形成された把持部２５１，２５５において、指を係止する部分２５１ａ，２５５ａが力を加える方向（回転方向）に凸状かつ円弧状に形成されているので、上側ノズルナット２４０を回転させ易い。
【００７１】
＜変形例３＞
次に、変形例３に係る上側ノズルナット３４０について、図１１（Ａ）、図１１（Ｂ）及び図１２を用いて詳細に説明する。なお、流通部３４１、雄ねじ形成部３４７及び支持部３４５については、上記実施形態の流通部４１、雄ねじ形成部４７及び支持部４５と同様であるので、ここでは説明を省略する。
【００７２】
図１１（Ａ）、図１１（Ｂ）に示されるように、鍔部３４３は、支持部３４５の軸方向における一端３４１ａ側とは反対側の他端３４１ｂ側に隣接して形成されると共に、支持部３４５から軸方向に直交（交差）する方向（径方向）に張り出している。上記実施形態の鍔部４３と異なるのは、外縁部３４９と流通部３４１との間に、指Ｔ（図１２参照）を係止可能な複数の把持部３４３ａが、流通部３４１の円周方向（図１１（Ａ）に示す矢印方向）に等間隔に形成されている点である。本実施形態では、８個の把持部３４３ａが形成されている。
【００７３】
把持部３４３ａは、鍔部３４３を軸方向に貫通する貫通孔である。把持部３４３ａは、指Ｔを挿入可能な大きさに形成されており、軸方向から見た平面視において円形状に形成されている。当該円の直径φ３は、１７ｍｍ〜１８ｍｍとすることができる。把持部３４３ａの縁部には、軸方向に突出するフランジ部３４３ｂが形成されている。フランジ部３４３ｂの高さｈは、２ｍｍ〜３ｍｍとすることができる。鍔部３４３の外縁部３４９は、軸方向から見た平面視において、波状に形成されている。
【００７４】
鍔部３４３には、張り出し方向における端部である外縁部３４９と流通部３４１との間に、指Ｔを差し込み可能な把持部３４３ａが形成されているので、図１２に示されるように、外縁部３４９を把持することと比べて雄ねじ形成部３４７に近い部分を把持することができる。したがって、上側ノズルヘッダ２２に対して雄ねじ形成部３４７を適正に螺合させることが可能になる。
【００７５】
上側ノズルナット３４０では、図１１（Ａ）に示されるように、外縁部３４９を把持する場合の距離φ２と比べ、把持部３４３ａを把持する場合の距離φ１が短い。したがって、外縁部３４９を把持するには小さな手の者でも、把持部３４３ａなら容易に把持することが可能になる。
【００７６】
また、上側ノズルナット３４０では、鍔部３４３の外縁部３４９を把持することも可能である。このため、手の大きさに合わせて、上側ノズルナット１４０を把持する位置が選択可能になるので、作業性が向上する。この結果、上側洗浄ノズル１２Ａの脱着作業を容易になる。
【００７７】
また、上側ノズルナット３４０では、把持部３４３ａの縁部には、鍔部３４３から軸方向に突出するフランジ部３４３ｂが形成されているので、鍔部３４３の軸方向への厚みが比較的薄い場合であっても、指Ｔを十分に係止することができるようになるので、作業性が向上する。
【００７８】
＜変形例４＞
次に、変形例４に係る上側ノズルナット４４０について、図１３（Ａ）、図１３（Ｂ）、図１４及び図１５を用いて詳細に説明する。なお、流通部４４１、雄ねじ形成部４４７及び支持部４４５については、上記実施形態の流通部４１、雄ねじ形成部４７及び支持部４５と同様であるので、ここでは説明を省略する。
【００７９】
図１３（Ａ）、図１３（Ｂ）に示されるように、鍔部４４３は、支持部４４５の軸方向における一端４４１ａ側とは反対側の他端側に隣接して形成されると共に、支持部４４５から軸方向に直交（交差）する方向（径方向）に張り出している。上記実施形態の鍔部４３と異なるのは、図１４に示されるように、外縁部４４９と流通部４４１との間に、指Ｔ（図１５参照）を係止可能な把持部４５１，４５５が、軸方向に凹んだ凹部として形成されている点である。
【００８０】
図１３（Ａ）、図１３（Ｂ）に示されるように、本変形例では、１つの把持部４５１と、２つの把持部４５５とが形成されている。なお、鍔部４４３に形成される把持部４５１，４５５の数は、これに限定されない。把持部４５１、４５５は、指Ｔを挿入可能な大きさに形成されており、軸方向から見た平面視において円形状に形成されている。把持部４５１は、把持部４５５よりも大きな円形を有している。なお、把持部４５１は、把持部４５５の形状は、互いに同じであってもよい。
【００８１】
また、図１４に示されるように、断面視において、凹部の内周面は、円弧状に形成されている。把持部４５１，４５５の縁部には、軸方向に突出するフランジ部４５１ａ，４５５ａが形成されている。フランジ部４５１ａ，４５５ａの高さｈは、２ｍｍ〜３ｍｍとすることができる。また、本変形例の鍔部４４３は、把持部４５１，４５５が形成されている部分が支持部４４５の方向に凸状に形成されている。この凸状部とフランジ部４５１ａ，４５５ａにより、把持部４５１，４５５の深さｈ６を、鍔部４４３の厚みｈ５よりも大きくすることができる。例えば、鍔部４４３の厚みｈ５を９ｍｍとしたとき、把持部４５１，４５５の深さｈ６を１３ｍｍ〜１７ｍｍとすることができる。
【００８２】
上記鍔部４４３には、張り出し方向における端部である外縁部４４９と流通部４４１との間に、指Ｔを差し込み可能な把持部４５１，４５５が形成されているので、図１５に示されるように、外縁部４４９を把持することと比べて雄ねじ形成部４４７に近い部分を把持することができる。したがって、上側ノズルヘッダ２２に対して雄ねじ形成部４４７を適正に螺合させることが可能になる。また、外縁部４４９を把持するには小さな手の者でも、外縁部４４９の内側に形成された把持部４５１，４５５なら容易に把持することが可能になる。
【００８３】
また、上記上側ノズルナット４４０では、鍔部４４３の外縁部４４９を把持することも可能である。このため、手の大きさに合わせて、上側ノズルナット４４０を把持する位置が選択可能になるので、作業性が向上する。この結果、上側洗浄ノズル１２Ａの脱着作業を容易になる。
【００８４】
また、図１３（Ｂ）に示されるように、鍔部４４３の上面に貫通孔などが形成されることがなく、平滑とすることができるので、食器洗浄中にゴミなどが付着することを抑制することができる。
【００８５】
また、鍔部４４３に把持部４５１，４５５を形成することで、鍔部４４３を形成する厚肉を落とすことができるので、ヒケ、ボイドの発生を抑制することができ、上側ノズルナット４４０の品質を安定させることができる。
【００８６】
また、上記上側ノズルナット４４０において、把持部４５１を他の把持部４５５よりも大きく形成して親指用とすれば、上記上側ノズルナット４４０を把持する際の方向性が定まり、取付性が向上する。また、上記上側ノズルナット４４０を把持する際に、左手又は右手で把持することを問わないので、利便性に優れる。
【００８７】
＜変形例５＞
次に、変形例５に係る上側ノズルナット５４０について、図１６を用いて詳細に説明する。なお、流通部５４１、雄ねじ形成部５４７及び支持部５４５については、上記変形例３の流通部３４１、雄ねじ形成部３４７及び支持部３４５と同様であるので、ここでは説明を省略する。
【００８８】
図１６に示されるように、鍔部５４３は、支持部５４５の軸方向における一端５４１ａ側とは反対側の他端側に隣接して形成されると共に、支持部５４５から軸方向に直交（交差）する方向に張り出している。上記実施形態の鍔部３４３と異なるのは、図１６に示されるように、流通部５４１を中心に互いに対称となる位置に配置されている２個の把持部５５１，５５５を残して、他の部分は切り欠かれていることである。そして、把持部５５１，５５５が形成された鍔部５４３の外縁部５４９は、全体的に凸となるように円弧状に形成されている。
【００８９】
把持部５５１，５５５は、鍔部５４３を貫通する貫通孔である。貫通孔は、指Ｔを挿入可能なサイズに形成されている。貫通孔のサイズは、把持部５５１と把持部５５５とで同じであっても異なっていてもよい。把持部５５１，５５５の縁部には、軸方向に突出するフランジ部５５１ａ，５５５ａが形成されている。フランジ部５５１ａ，５５５ａの高さｈは、２ｍｍ〜３ｍｍとすることができる。
【００９０】
上記鍔部５４３には、張り出し方向における端部である外縁部５４９と流通部５４１との間に、指Ｔを差し込み可能な把持部５５１，５５５が形成されているので、外縁部５４９を把持することと比べて雄ねじ形成部５４７に近い部分を把持することができる。したがって、上側ノズルヘッダ２２に対して雄ねじ形成部５４７を適正に螺合させることが可能になる。また、外縁部５４９を把持するには小さな手の者でも、把持部５５１，５５５なら容易に把持することが可能になる。また、２つの指だけで把持して、上側ノズルナット５４０を容易に回転させることができる。
【００９１】
また、上記上側ノズルナット５４０では、鍔部５４３の外縁部５４９を把持することも可能である。このため、手の大きさに合わせて、上側ノズルナット５４０を把持する位置が選択可能になるので、作業性が向上する。この結果、上側洗浄ノズル１２Ａの脱着作業を容易になる。
【００９２】
上記上側ノズルナット５４０は、鍔部５４３において把持部５５１，５５５が形成される部分を除いて切り欠かれているので、材料費を抑制することができる共に、上側ノズルナット５４０を軽量化することができる。
【００９３】
また、図１６に示されるように、鍔部５４３に上面に貫通孔などが形成されることがなく、平滑とすることができるので、食器洗浄中のゴミなどが付着することを抑制することができる。
【００９４】
＜その他の変形例＞
本発明の洗浄機は、上記実施形態及び変形例のような、本体部２の前面側にドア部５が設けられたアンダーカウンタ式の食器洗浄機１だけでなく、ドア部が上下に開閉するタイプの食器洗浄機、食器を収容するためのラックを搬送しながら洗浄を行うコンベアタイプの食器洗浄機などにも適用することができる。
【００９５】
上記実施形態及び変形例では、例えば、第１指で把持する部分などに螺合開始部を設けるなどして、螺合開始部が形成されている箇所を明示的に示す例を挙げて説明したが、例えば、鍔部に刻印するなどして、螺合開始部の位置を明確に示してもよい。
【００９６】
上記実施形態及び変形例では、把持部となる貫通孔の形状（軸方向から見た平面視）が円形である例を挙げて説明したが、形状を問うものではなく、例えば楕円、六角形、八角形であってもよい。同様に、上記変形例４の把持部となる凹部の形状（軸方向から見た平面視）も、例えば楕円、六角形、八角形であってもよい。
【００９７】
本発明は、上記実施形態及びその他の変形例を適宜組み合わせてもよい。
【符号の説明】
【００９８】
１…食器洗浄機（洗浄機）、２…本体部、３…洗浄室、６Ａ…上側配管ユニット、６Ｂ…下側配管ユニット、１１Ａ…上側ノズルユニット、１１Ｂ…下側ノズルユニット、１２Ａ…上側洗浄ノズル、１２Ｂ…下側洗浄ノズル、１３Ａ…上側すすぎノズル、１３Ｂ…下側すすぎノズル、２２…上側ノズルヘッダ（ノズルヘッダ）、２６…下側ノズルヘッダ（ノズルヘッダ）、４０，１４０、２４０，３４０，４４０，５４０…上側ノズルナット（ノズルナット）、４１，１４１、２４１，３４１，４４１，５４１…流通部、４３，１４３、２４３，３４３，４４３，５４３…鍔部、４５，１４５、２４５，３４５，４４５，５４５…支持部、４７，１４７、２４７，３４７，４４７，５４７…雄ねじ形成部（螺合部）、４７ａ，１４７ａ…螺合開始部、４９，１４９，２４９，３４９、４４９，５４９…外縁部、５１，５５，１５１，１５５，２５１，２５５，３４３ａ，４５１，４５５，５５１，５５５…把持部、３４３ｂ，４５１ａ，４５５ａ，５５１ａ，５５５ａ…フランジ部。
【図１】
0006564210.tif 000002
【図２】
0006564210.tif 000003
【図３】
0006564210.tif 000004
【図４】
0006564210.tif 000005
【図５】
0006564210.tif 000006
【図６】
0006564210.tif 000007
【図７】
0006564210.tif 000008
【図８】
0006564210.tif 000009
【図９】
0006564210.tif 000010
【図１０】
0006564210.tif 000011
【図１１】
0006564210.tif 000012
【図１２】
0006564210.tif 000013
【図１３】
0006564210.tif 000014
【図１４】
0006564210.tif 000015
【図１５】
0006564210.tif 000016
【図１６】
0006564210.tif 000017